(57)【要約】【課題】器具本体側に装着されたランプソケットの引張強度を、より高めることが可能な照明器具を提供する。【解決手段】照明器具であって、ランプソケット１は、直管形ランプのランプピンを受ける受口面１ａａ側とは反対の背面１ａｂ側へ突出する一対の取付脚１ｂ，１ｂを離間して箱状のソケット本体１ａに設けており、一対の取付脚１ｂ，１ｂは、先端に互いに離れる方向に突出する爪部１ｃ，１ｃを有し、ソケット支持台２は、一対の取付脚１ｂ，１ｂが一面２ａａ側から各別に挿通される一対の挿通孔２ｈ，２ｈを貫設しており、一対の挿通孔２ｈ，２ｈに一対の取付脚１ｂ，１ｂを挿通させ一面２ａａ側とは反対の他面２ａｂ側において爪部１ｃを挿通孔２ｈの周縁部に各々引掛させた状態で一対の取付脚１ｂ，１ｂが互いに近づく向きに撓むことを抑制するストッパ部２ａを有する。【選択図】図１
2014067673.tif 000002
【特許請求の範囲】
【請求項１】
管本体の一端側の口金部から突出したランプピンおよび他端側の口金部から突出したランプピンを備えた直管形ランプを装着させる一対のランプソケットと、該一対のランプソケットを各別に支持する一対のソケット支持台と、該一対のソケット支持台を備える器具本体と、該器具本体に設けられ前記一対のランプソケットの少なくとも一方を介して前記直管形ランプに点灯電力を供給する点灯回路部とを有する照明器具であって、
前記ランプソケットは、前記直管形ランプの前記ランプピンを受ける受口面側とは反対の背面側へ突出する一対の取付脚を離間して箱状のソケット本体に設けており、前記一対の取付脚は、先端に互いに離れる方向に突出する爪部を有し、
前記ソケット支持台は、前記一対の取付脚が一面側から各別に挿通される一対の挿通孔を貫設しており、前記一対の挿通孔に前記一対の取付脚を各別に挿通させ前記一面側とは反対の他面側において前記爪部を前記挿通孔の周縁部に各々引掛させた状態で前記一対の取付脚が互いに近づく向きに撓むことを抑制するストッパ部を有することを特徴とする照明器具。
【請求項２】
前記ストッパ部は、前記ソケット支持台の前記他面側から立設する立設片と、該立設片から前記挿通孔を覆うように突出する突出部とを備えており、該突出部は、前記取付脚における前記爪部の突出方向の反対側と当接することにより前記取付脚の撓みを抑制することを特徴とする請求項１に記載の照明器具。
【請求項３】
前記挿通孔は、前記爪部を有する前記取付脚が挿通可能な第１孔部と、該第１孔部と連通し前記第１孔部よりも開口面積が小さい第２孔部とを有しており、前記ストッパ部は、前記第２孔部における前記周縁部側と対向する内側縁部により構成されてなり、該内側縁部が前記取付脚における前記爪部の突出方向の反対側と当接することにより前記取付脚の撓みを抑制することを特徴とする請求項１に記載の照明器具。
【発明の詳細な説明】
【技術分野】
【０００１】
本発明は、照明器具に関する。
【背景技術】
【０００２】
従来から、直管形ランプを着脱自在に装着させるランプソケットを備えた照明器具が用いられている。
【０００３】
この種の照明器具として、図１５に示す、一対の連結突起１２２を備えたソケット１１６と、一対の連結突起１２２を両端のソケット支持穴１１９（１２０）に嵌着する連結具本体１１４とを有するものが知られている（たとえば、特許文献１を参照。）。
【０００４】
特許文献１の照明器具では、ランプソケットたるソケット１１６の連結突起１２２を、連結具本体１１４のソケット支持穴１１９（１２０）に嵌着することで、ソケット１１６を器具本体たる照明器具本体側の連結具本体１１４に付けることができる。なお、特許文献１の照明器具では、連結具本体１１４の外周の両端に有する一対の掛止片１１７，１１８にソケット支持穴１１９，１２０を設けている。連結具本体１１４は、直管形蛍光ランプの外形に対応するように傾斜面を有するランプ装着ガイド１２１を連結具本体１１４に備えている。
【先行技術文献】
【特許文献】
【０００５】
【特許文献１】特開平１０−２２３０１５号公報
【発明の概要】
【発明が解決しようとする課題】
【０００６】
ところで、照明器具では、たとえば、直管形ランプの交換時などランプソケットから直管形ランプを着脱させる際、直管形ランプの長手方向や長手方向と垂直方向など、器具本体側からランプソケットが引っ張られる方向に大きな荷重が掛かる場合がある。特許文献１の照明器具では、ランプソケットに掛かる荷重により、ソケット１１６の連結突起１２２が連結具本体１１４側のソケット支持穴１１９（１２０）から外れる恐れがある。
【０００７】
本発明は、上記事由に鑑みてなされたものであり、その目的は、器具本体側に装着されたランプソケットの引張強度を、より高めることが可能な照明器具を提供することにある。
【課題を解決するための手段】
【０００８】
本発明の照明器具は、管本体の一端側の口金部から突出したランプピンおよび他端側の口金部から突出したランプピンを備えた直管形ランプを装着させる一対のランプソケットと、該一対のランプソケットを各別に支持する一対のソケット支持台と、該一対のソケット支持台を備える器具本体と、該器具本体に設けられ上記一対のランプソケットの少なくとも一方を介して上記直管形ランプに点灯電力を供給する点灯回路部とを有する照明器具であって、上記ランプソケットは、上記直管形ランプの上記ランプピンを受ける受口面側とは反対の背面側へ突出する一対の取付脚を離間して箱状のソケット本体に設けており、上記一対の取付脚は、先端に互いに離れる方向に突出する爪部を有し、上記ソケット支持台は、上記一対の取付脚が一面側から各別に挿通される一対の挿通孔を貫設しており、上記一対の挿通孔に上記一対の取付脚を各別に挿通させ上記一面側とは反対の他面側において上記爪部を上記挿通孔の周縁部に各々引掛させた状態で上記一対の取付脚が互いに近づく向きに撓むことを抑制するストッパ部を有することを特徴とする。
【０００９】
この照明器具において、上記ストッパ部は、上記ソケット支持台の上記他面側から立設する立設片と、該立設片から上記挿通孔を覆うように突出する突出部とを備えており、該突出部は、上記取付脚における上記爪部の突出方向の反対側と当接することにより上記取付脚の撓みを抑制することが好ましい。
【００１０】
この照明器具において、上記挿通孔は、上記爪部を有する上記取付脚が挿通可能な第１孔部と、該第１孔部と連通し上記第１孔部よりも開口面積が小さい第２孔部とを有しており、上記ストッパ部は、上記第２孔部における上記周縁部側と対向する内側縁部により構成されてなり、該内側縁部が上記取付脚における上記爪部の突出方向の反対側と当接することにより上記取付脚の撓みを抑制することが好ましい。
【発明の効果】
【００１１】
本発明の照明器具は、器具本体側のソケット支持台が、ランプソケットの一対の取付脚が互いに近づく向きに撓むことを抑制するストッパ部を有することで、器具本体側に装着されたランプソケットの引張強度を、より高めることが可能になるという効果がある。
【図面の簡単な説明】
【００１２】
【図１】実施形態１の照明器具の要部を示し、ソケット支持台にランプソケットを装着させる装着工程を説明する断面説明図である。
【図２】実施形態１の照明器具のソケット支持台を示し、（ａ）は背面図、（ｂ）は（ａ）のＸＸ断面図である。
【図３】実施形態１の照明器具の要部を示し、（ａ）は直管形ランプの一端側を装着させるランプソケットをソケット支持台に装着させた正面図、（ｂ）は（ａ）のＸＸ断面図である。
【図４】実施形態１の照明器具の要部を示し、（ａ）は直管形ランプの他端側を装着させるランプソケットをソケット支持台に装着させた正面図、（ｂ）は（ａ）のＸＸ断面図である。
【図５】実施形態１の照明器具の分解斜視図である。
【図６】実施形態１の照明器具を示す概略構成図である。
【図７】実施形態１の照明器具に装着される直管形ランプを示し、（ａ）は正面図、（ｂ）は一端側の口金部に他端側の口金部のランプピンを投影した側面説明図である。
【図８】実施形態１の照明器具の別の要部を示す正面図である。
【図９】実施形態２の照明器具のソケット支持台を示し、（ａ）は背面図、（ｂ）は（ａ）のＸＸ断面図である。
【図１０】実施形態２の照明器具の要部を示し、ソケット支持台にランプソケットを装着させる装着工程を説明する断面説明図である。
【図１１】実施形態２の照明器具の要部を示し、ソケット支持台にランプソケットを装着させる装着工程を説明する背面説明図である。
【図１２】実施形態３の照明器具のソケット支持台を示し、（ａ）は背面図、（ｂ）は（ａ）のＸＸ断面図である。
【図１３】実施形態３の照明器具の要部を示し、ソケット支持台にランプソケットを装着させる装着工程を説明する断面説明図である。
【図１４】実施形態３の照明器具の要部を示し、ソケット支持台にランプソケットを装着させる装着工程を説明する背面説明図である。
【図１５】従来の照明器具の連結構造の要部を示す一部分解斜視図である。
【発明を実施するための形態】
【００１３】
（実施形態１）
図１ないし図６に基づいて、本実施形態の照明器具１０を説明し、図７に基づいて本実施形態の照明器具１０に装着させる直管形ランプ２０たる直管形ＬＥＤランプを説明する。なお、各図において、同様の構成要素に対しては、同じ番号を付して重複する説明を省略している。
【００１４】
本実施形態の照明器具１０に装着される直管形ランプ２０は、直管形ランプ２０における管本体２１の一端側の口金部（以下、第１口金部ともいう）２２から突出するランプピン（以下、第１ランプピンともいう）２４を備えている（図７を参照）。また、直管形ランプ２０は、管本体２１の他端側の口金部（以下、第２口金部ともいう）２３から突出するランプピン（以下、第２ランプピンともいう）２５を備えている。
【００１５】
本実施形態の照明器具１０は、直管形ランプ２０における一端側を装着させるランプソケット１（以下、給電用ランプソケット１Ａともいう）を有している（図３を参照）。また、照明器具１０は、直管形ランプ２０における他端側を装着させるランプソケット１（以下、接地用ランプソケット１Ｂともいう）を有している（図４を参照）。照明器具１０は、一対のランプソケット１，１を各別に支持する一対のソケット支持台２，２と、一対のソケット支持台２，２を備える器具本体１１とを有している（図５および図６を参照）。なお、図６の照明器具１０では、図５の２本の直管形ランプ２０のうち、１本だけを簡略化して図示している。照明器具１０は、器具本体１１に設けられ一対のランプソケット１，１の少なくとも一方を介して直管形ランプ２０に点灯電力を供給する点灯回路部１１ａを有している。
【００１６】
本実施形態の照明器具１０では、ランプソケット１は、直管形ランプ２０のランプピン２４（２５）を受ける受口面１ａａ側とは反対の背面１ａｂ側へ突出する一対の取付脚１ｂ，１ｂを離間して箱状のソケット本体１ａに設けている（図３または図４を参照）。一対の取付脚１ｂ，１ｂは、先端に互いに離れる方向に突出する爪部１ｃ，１ｃを有している。
【００１７】
また、ソケット支持台２は、一対の取付脚１ｂ，１ｂが一面２ａａ側から各別に挿通される一対の挿通孔２ｈ，２ｈを貫設している（図２を参照）。ソケット支持台２では、一対の挿通孔２ｈ，２ｈに一対の取付脚１ｂ，１ｂを挿通させ一面２ａａ側とは反対の他面２ａｂ側において爪部１ｃを挿通孔２ｈの周縁部に各々引掛させる（図１（ｅ）を参照）。本実施形態の照明器具１０では、ソケット支持台２は、爪部１ｃを挿通孔２ｈの周縁部に各々引掛させた状態で一対の取付脚１ｂ，１ｂが互いに近づく向きに撓むことを抑制するストッパ部２ａを有している。
【００１８】
これにより本実施形態の照明器具１０は、器具本体１１側に装着されたランプソケット１の引張強度を、より高めることが可能になる。
【００１９】
本実施形態の照明器具１０の具体例として、直管形ランプ２０たる直管形ＬＥＤランプを装着させるものについて説明するにあたり、まず最初に、直管形ＬＥＤランプについて説明する。
【００２０】
図７に示す直管形ランプ２０は、透光性材料（たとえば、ガラスや合成樹脂など）により円筒形状の直管に形成された管本体２１である発光管を備えている。管本体２１の軸方向の両端部には、口金部２２，２３がそれぞれ設けられている。本実施形態の照明器具１０と接続される直管形ランプ２０は、管本体２１の一端部側を覆うように、有底円筒状の給電用の第１口金部２２が設けられている。また、直管形ランプ２０は、管本体２１の軸方向の他端部側を覆うように、有底円筒状の接地用の第２口金部２３が設けられている。
【００２１】
管本体２１の内部には、図示していないが管本体２１よりも全長が若干短い実装基板（たとえば、セラミック基板など）が収納されている。実装基板は、実装基板の一表面側に白色光が発光可能な複数個の発光ダイオード（図示していない）を所定の間隔で実装して電気的に接続する配線パターンが形成されている。また、実装基板は、実装基板の一表面側と反対の他表面側に、他表面側と接する底面部から突出した側壁部が発光ダイオードからの光を所定の方向に反射させる断面Ｃ字形状の反射板（図示していない）を備えている。
【００２２】
直管形ランプ２０は、側面視において、第１口金部２２の端面に第１口金部２２の径方向における中央部の両側に略半円状に凹んだ凹部２２ｂ，２２ｂが設けられている（図７（ｂ）を参照）。直管形ランプ２０は、側面視において、中央部が凹部２２ｂよりも前方に突出した略直方体状の突部２２ａが設けられている。突部２２ａは、円筒形状の管本体２１の中心軸（図示していない）を挟んで対称な位置に、管本体２１の軸方向に沿って突出する金属材料により板状に形成された給電用の第１ランプピン２４，２４が略平行に設けられている。第１ランプピン２４は、一対設けられており、それぞれ管本体２１の軸方向と平行に突出した板状突出部２４ａを備えている。また、一対の第１ランプピン２４は、それぞれ板状突出部２４ａの先端部が略直角に曲げられて、対向する板状突出部２４ａから離れる外側方向に突出する折曲部２４ｂを備えている。
【００２３】
一対の第１ランプピン２４，２４は、たとえば、管本体２１の内部で図示していないリード線を介して実装基板と電気的に接続させている。なお、実装基板には、発光ダイオードが実装されるとともに発光ダイオードを電気的に保護する全波整流器などの回路部品（図示していない）も実装させている。直管形ランプ２０は、いずれの第１ランプピン２４，２４が外部の直流電源の正極側と接続された場合でも、各発光ダイオードに順方向電流が流れるように、一対の第１ランプピン２４，２４と、各発光ダイオードとを全波整流器を介して電気的に接続させた構造としている。したがって、一対の第１ランプピン２４，２４は、直管形ランプ２０の発光ダイオードに給電する端子として機能する。
【００２４】
なお、直管形ランプ２０に収容されている発光ダイオードは、図示していないが、たとえば、ＬＥＤチップと、ＬＥＤチップを収納する収納凹所が一表面に設けられたパッケージ本体とを備えて構成することができる。発光ダイオードは、たとえば、通電によりピーク波長が、４２０ｎｍ〜４９０ｎｍの範囲内にある青色光を放射するＬＥＤチップを用いることができる。発光ダイオードは、たとえば、ＬＥＤチップを収納する収納凹所が一表面に設けられたセラミック（たとえば、アルミナなど）製のパッケージ本体を用いることができる。発光ダイオードは、ＬＥＤチップから放射された青色光の一部を吸収し、より長波長の蛍光（たとえば、黄色光）を発する蛍光体が含有された透光性材料からなる波長変換部材を収納凹所に埋設して構成することができる。蛍光体は、たとえば、青色光の一部を吸収し、より長波長の蛍光を発するものとして、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４などを用いることができる。発光ダイオードは、蛍光体が含有される透光性材料として、たとえば、シリコーン樹脂、エポキシ樹脂、アクリル樹脂、ポリカーボネート樹脂やガラスなどを用いることができる。また、発光ダイオードは、パッケージ本体の他表面に外部接続用電極（図示していない）を設け、外部接続用電極と実装基板の配線パターンとが半田からなる接合部（図示していない）を介して電気的に接続させる構成とすることができる。
【００２５】
直管形ランプ２０は、管本体２１の軸方向に沿って、直管形ランプ２０の他端側の第２口金部２３から突出する接地用の１本の第２ランプピン２５を備えている。第２ランプピン２５は、第２口金部２３の端面の中心部から管本体２１の軸方向に沿って突出し、金属材料により丸棒状に形成された軸部２５ａを備えている。第２ランプピン２５は、軸部２５ａの先端部に軸部２５ａの軸径よりも大きな径大部２５ｂを備えている。径大部２５ｂは、管本体２１の軸方向から見た形状が直管形ランプ２０の第１口金部２２から突出する一対の第１ランプピン２４，２４が並ぶ方向と平行方向を、長手方向とする長円形状に形成している（図７（ｂ）を参照）。なお、径大部２５ｂは、長円形状だけに限らず、楕円形状など非円形の形状であってもよい。径大部２５ｂは、金属材料からなり軸部２５ａと一体に形成されている。すなわち、第２ランプピン２５は、管本体２１の軸方向に沿って突出した丸棒状の軸部２５ａと、径大部２５ｂとを有してＴ字状の形状となっている（図７（ａ）を参照）。第２ランプピン２５は、実装基板の配線パターンと電気的に接続して接地用のアース端子として機能させている。すなわち、直管形ランプ２０は、一端部側の第１口金部２２から給電する片側給電方式の直管形ＬＥＤランプとなっている。
【００２６】
次に、本実施形態の照明器具１０における一対のランプソケット１，１について詳述する。
【００２７】
本実施形態の照明器具１０では、ランプソケット１は、器具本体１１側に一対設けており、一方を図３に示す給電用ランプソケット１Ａとし、他方を図４に示す接地用ランプソケット１Ｂとしている。給電用ランプソケット１Ａは、図３に示すように、箱状のソケット本体１ａの一表面側に、ソケット本体１ａの中央部を回転中心として回動可能な回転子１ｇを備えている。回転子１ｇは、外形が円形状であって、直管形ランプ２０の一対の第１ランプピン２４，２４を回転子１ｇの径方向に挿入可能なＩ字状の第１挿入口１ｆを備えている。回転子１ｇは、第１挿入口１ｆを介して、一対の半円柱状の突起部位１ｇ１，１ｇ１を備えている。回転子１ｇは、突起部位１ｇ１と第１挿入口１ｆとの間には突起部位１ｇ１側から階段状に窪んだ段差部位１ｇ２を備えている。回転子１ｇは、直管形ランプ２０の第１口金部２２の突部２２ａを段差部位１ｇ２と、凹部２２ｂを突起部位１ｇ１とそれぞれ当接させ、第１ランプピン２４，２４を受ける受口面１ａａ（以下、第１受口面１Ａａａともいう）を有している。給電用ランプソケット１Ａは、ソケット本体１ａに直管形ランプ２０における第１口金部２２の外形形状に対応する形状の第１受口面１Ａａａを備えている。給電用ランプソケット１Ａは、ソケット本体１ａの外周壁に設けられた開口部位１ｃａから第１挿入口１ｆに沿って、直管形ランプ２０の第１口金部２２をスライドさせることで直管形ランプ２０を第１挿入口１ｆに挿入することができる。
【００２８】
給電用ランプソケット１Ａでは、ソケット本体１ａは、ソケット本体１ａの第１受口面１Ａａａと反対の背面１ａｂ側に開口部（図示していない）を備えた内部が空洞な有底筒状のボディ部１ａ１を有している。給電用ランプソケット１Ａでは、ソケット本体１ａは、ボディ部１ａ１の開口部を覆うカバー部１ａ２を有している。ソケット本体１ａは、ボディ部１ａ１とカバー部１ａ２とで箱状に形成している。カバー部１ａ２は、ボディ部１ａ１の開口部を覆う平板状に形成すればよい。ソケット本体１ａは、ボディ部１ａ１とカバー部１ａ２とを溶着して内部を封止する構造とすることができる。
【００２９】
給電用ランプソケット１Ａは、ソケット本体１ａの内部に第１口金部２２から突出した一対の第１ランプピン２４，２４とそれぞれ電気的に接続可能な一対の導電部（図示していない）を備えている。一対の導電部は、それぞれ導電性の良好な金属材料（たとえば、銅合金など）の板状体を折り曲げ加工して形成することができる。給電用ランプソケット１Ａは、直管形ランプ２０の一対の第１ランプピン２４それぞれを第１挿入口１ｆに挿入した後、直管形ランプ２０の管本体２１の軸まわりに回転子１ｇを回動させる。これにより、給電用ランプソケット１Ａは、直管形ランプ２０の第１ランプピン２４，２４が一対の導電部と各別に弾接され、直管形ランプ２０が給電用ランプソケット１Ａ側に保持される。第１ランプピン２４の板状突起部２４ａは、一対の導電部に弾接されることで、直管形ランプ２０が給電用ランプソケット１Ａから抜けにくくなる。給電用ランプソケット１Ａは、一対の導電部が、一対の第１ランプピン２４,２４と、それぞれ各別に電気的に接続することで直管形ランプ２０に点灯回路部１１ａから点灯電力を供給することができる。
【００３０】
なお、給電用ランプソケット１Ａは、ソケット本体１ａの周壁に、給電用の電線（図示していない）を挿入する貫設孔１ｄを好適に備えている。給電用ランプソケット１Ａは、貫設孔１ｄに挿入された給電用の各電線と、各導電部とを電気的に簡便に接続できるように速結端子をそれぞれ備えた構成とすることができる。
【００３１】
給電用ランプソケット１Ａは、直管形ランプ２０の第１ランプピン２４を受ける第１受口面１Ａａａとは反対の背面１ａｂ側へ突出する一対の取付脚１ｂ，１ｂを離間して箱状のソケット本体１ａに設けている。本実施形態の給電用ランプソケット１Ａでは、ソケット本体１ａのボディ部１ａ１における両側面の中央部において、円柱状の一対の取付脚１ｂ，１ｂを略平行に突出させている。一対の取付脚１ｂ，１ｂは、取付脚１ｂの先端に互いに離れる方向に突出する爪部１ｃ，１ｃを有している。
【００３２】
ボディ部１ａ１は、たとえば、合成樹脂材料により、爪部１ｃを有する取付脚１ｂと一体成型で形成することができる。取付部１ｂは、所定の弾性を備える限り、一体成形により形成するものだけに限られず、別途に形成させた取付部１ｂをソケット本体１ａに接合させてもよい。取付部１ｂは、機械的強度を高めるため、ボディ部１ａ１に形成してもよいし、ランプソケット１全体の幅を狭めるため、カバー部１ａ２に形成させることもできる。ソケット本体１ａは、ボディ部１ａ１およびカバー部１ａ２を電気絶縁性の合成樹脂を用いて形成することで絶縁性を確保することができる。
【００３３】
本実施形態の照明器具１０は、予め器具本体１１側に設けたソケット支持台２に給電用ランプソケット１Ａを保持させている。ソケット支持台２は、たとえば、金属材料や合成樹脂などにより形成することができる。本実施形態の照明器具１０では、ソケット支持台２は、取付脚１ｂが一面２ａａ側から各別に挿通される円形の貫通孔２ｈを貫設している（図２を参照）。貫通孔２ｈは、一対の取付脚１ｂ，１ｂの間隔より若干狭い所定の間隔で一対設けている。ソケット支持台２では、一対の挿通孔２ｈ，２ｈに一対の取付脚１ｂ，１ｂを各別に挿通させ一面２ａａ側とは反対の他面２ａｂ側において爪部１ｃを円形の挿通孔２ｈの周部に引き掛けさせる。
【００３４】
ソケット支持台２は、ソケット支持台２の他面２ａｂ側から立設する立設片２ａ１と、立設片２ａ１から挿通孔２ｈを部分的に覆うように突出する平板状の突出部２ａ２とを備えている。本実施形態の照明器具１０では、突出部２ａ２は、立設片２ａ１の先端に設けており、挿通孔２ｈを挿通した取付脚１ｂの爪部１ｃが設けられる先端の高さと、ソケット支持台２の他面２ａｂ側から突出部２ａ２の高さとを略一致させている。ソケット支持台２は、ランプソケット１が引っ張られ、弾性を有する取付脚１ｂが爪部１ｃの突出方向の反対側に撓む方向に荷重が掛かった場合でも、突出部２ａ２が取付脚１ｂと当接することにより取付脚１ｂの撓みを抑制する。これにより照明器具１０は、ランプソケット１の引張強度を、より高めることが可能となる。
【００３５】
なお、本実施形態の照明器具１０では、ソケット支持台２の正面視において、突出部２ａ２は、ケット支持台２の挿通孔２ｈを覆うように矩形平板状の形状のものだけに限られず、図８（ａ）に示すように、直方体状の棒形状のものであってもよい。突出部２ａ２は、棒形状に形成することにより、取付脚１ｂが撓みに対応する耐性を、より高めることが可能となる。また、本実施形態の照明器具１０では、ソケット支持台２の正面視において、挿通孔２ｈの開口形状を円形状としているが、円形状だけでなく、取付脚１ｂや爪部１ｃの形状と対応させて、図８（ｂ）に示す楕円形状としてもよい。さらに、本実施形態の照明器具１０では、ソケット支持台２の正面視において、突出部２ａ２は、矩形平板状の形状の代わりに、図８（ｃ）に示すように、平板状の突出部２ａ２に切欠部２ｃ１を設けたものを用いてもよい。ソケット支持台２は、突出部２ａ２に切欠部２ｃ１を設けることにより、取付脚１ｂを挿入孔２ｈに挿入し易く、且つランプソケット１が引っ張られる際に生ずる力に対して突出部２ａ２の機械的強度をより高めることが可能となる。
【００３６】
実施形態の照明器具１０では、ソケット支持台２は、電気絶縁性の合成樹脂を用いて、突出部２ａ２と立設片２ａ１とを一体成型している。ソケット支持台２は、取付脚１ｂの撓みを抑制できる限り、必ずしも立設片２ａ１が必要ではない。しかしながら、照明器具１０では、爪部１ｃが設けられる取付脚１ｂの先端に突出部２ａ２を当接させるように他面２ａｂ側からの突出部２ａ２の高さを調整する方が引張強度を、より高めることが容易となる。また、ソケット支持台２は、必ずしも突出部２ａ２と一体に形成させる必要はなく、別途に形成させたものを固定するものでもよい。
【００３７】
したがって、ソケット支持台２は、合成樹脂材料により形成させたソケット支持台２と、金属材料により形成させた突出部２ａ２により構成することもできる。ソケット支持台２は、矩形平板に形成させたものだけに限られず、円形平板や楕円平板に形成してもよい。また、ソケット支持台２は、平板状の形状のものだけに限られず、箱状など立体的な形状のものでもよい。本実施形態の照明器具１０では、ソケット支持台２は、矩形平板状に形成させており、外周部に器具本体１１側に固定させる枠状の突起２ｂを好適に備えている。
【００３８】
なお、本実施形態の照明器具１０において、ソケット本体１ａの箱状とは、内部に直管形ランプ２０と電気的に接続可能な導電部などが収容可能であればよく、ソケット本体１ａの内部が閉じられた空間を構成する形状のものだけに限られない。したがって、ランプソケット１は、ソケット本体１ａの受口面１ａａとは反対の背面１ａｂ側が開放したものでもよい。
【００３９】
次に、接地用ランプソケット１Ｂは、直管形ランプ２０の第２口金部２３を装着可能な構造としている。接地用ランプソケット１Ｂは、箱状のソケット本体１ａの受口面１ａａとして、直管形ランプ２０の第２口金部２３が当接可能な第２受口面１Ｂａａを有している。接地用ランプソケット１Ｂは、ソケット本体１ａの側周壁側から内部側に直管形ランプ２０の第２ランプピン２５を挿入可能な第２挿入口１ｊを備えている。
【００４０】
第２挿入口１ｊは、挿入する第２ランプピン２５の径大部２５ｂよりも大きく外部に向かって広がる開口孔部１ｊ１をソケット本体１の側周壁側に備えている（図４（ａ）を参照）。また、第２挿入口１ｊは、ソケット本体１の側周壁側から内部に向かって、開口孔部１ｊ１と連通する開口連通部１ｊ２を備えている。接地用ランプソケット１Ｂでは、開口孔部１ｊ１から挿入した第２ランプピン２５を開口連通部１ｊ２側に管本体２１の軸方向とは垂直方向にスライドさせて、開口連通部１ｊ２側で第２ランプピン２５を保持できるように構成している。開口連通部１ｊ２は、第２ランプピン２５を挿入させる開口連通部１ｊ２の内寸を、径大部２５ｂの外径よりも小さく、軸部２５ａの外径よりも大きく形成している。なお、第２挿入口１ｊは、開口孔部１ｊ１と開口連通部１ｊ２とを備えたものだけに限られず、第２ランプピン２５を挿入して保持できるものであれば、種々の形状とすることができる。
【００４１】
接地用ランプソケット１Ｂでは、ソケット本体１ａは、ソケット本体１ａの受口面１ａａと反対の背面１ａｂ側に開口部（図示していない）を備えた内部が空洞な有底筒状のボディ部１ａ１を有している。接地用ランプソケット１Ｂでは、ソケット本体１ａは、ボディ部１ａ１の開口部を覆うように設けられるカバー部１ａ２を有している。接地用ランプソケット１Ｂのソケット本体１ａは、給電用ランプソケット１Ａのソケット本体１ａと同様に、ボディ部１ａ１とカバー部１ａ２とで箱状に形成している。カバー部１ａ２は、ボディ部１ａ１の開口部を覆うような平板状に形成すればよい。ソケット本体１ａは、ボディ部１ａ１とカバー部１ａ２とを溶着して内部を封止する構造とすることができる。
【００４２】
ランプソケット１は、ソケット本体１ａの周壁に貫設孔１ｄを好適に設けている。貫設孔１ｄは、接地用の配線（図示していない）を挿入することが可能に構成している。また、ランプソケット１には、ソケット本体１ａの内部の空洞に収納され、直管形ランプ２０の第２ランプピン２５と電気的に接続可能な導電部を構成する接地用の一対の導電板１ｋ，１ｋを備えている。導電部は、導電性の良好な金属材料（たとえば、銅合金など）の板状体を折り曲げ加工して形成することができる。
【００４３】
接地用ランプソケット１Ｂは、直管形ランプ２０の他端側の第２口金部２３を接地用ランプソケット１Ｂに装着した場合、第２受口面１Ｂａａが、直管形ランプ２０の第２口金部２３と当接する。また、接地用ランプソケット１Ｂは、ソケット本体１ａの第２挿入口１ｊ内における一対の導電板１ｋ，１ｋが直管形ランプ２０の第２ランプピン２５を保持する。第２ランプピン２５の軸部２５ａは、一対の導電板１ｋ，１ｋに弾接され、第２ランプピン２５が接地用ランプソケット１Ｂ側に保持される。第２ランプピン２５の軸部２５ａは、一対の導電板１ｋ，１ｋに保持されることで、直管形ランプ２０が接地用ランプソケット１Ｂから抜けにくくなる。
【００４４】
また、接地用ランプソケット１Ｂでは、貫設孔１ｄを介してソケット本体１ａに挿入された接地用の配線と簡便に電気的に接続できるように導電部に速結端子を備えている。速結端子は、貫設孔１ｄから配線の先端部が挿入される。速結端子は、板状体の折り曲げ加工された保持片の弾性により、配線の先端部が保持される。なお、貫設孔１ｄは、接地用の配線を挿入させるために、１つあればよく必ずしも２つ設ける必要はない。貫設孔１ｄは、２つ設けた場合、一方の貫設孔１ｄを、別の接地用ランプソケット１Ｂと接続させる送り端子用に用いてもよい。ソケット本体１ａは、ボディ部１ａ１およびカバー部１ａ２を電気絶縁性の合成樹脂を用いて形成することで絶縁性を確保している。
【００４５】
また、ランプソケット１は、ソケット本体１ａの両側面の中央部において、直管形ランプ２０の第２ランプピン２５を受け受口面１ａａ側とは反対の背面側１ａｂへ突出する一対の取付脚１ｂ，１ｂを突出させている。
【００４６】
接地用ランプソケット１Ｂは、器具本体１１側となるソケット支持台２に、給電用ランプソケット１Ａを支持するソケット本体１ａと同じ形状のものを用いて支持させている。本実施形態の照明器具１０では、接地用ランプソケット１Ｂは、給電用ランプソケット１Ａと異なり、受口面１ａａ側から背面１ａｂ側へ突出する板ばね１ｅをカバー部１ａ２に好適に備えている。接地用ランプソケット１Ｂは、ソケット支持台２の一面２ａａ側に向かってＶ字形状の板ばね１ｅにより一面２ａａと弾接するよう構成している。接地用ランプソケット１Ｂは、給電用ランプソケット１の取付脚１ｂよりも長く、ソケット支持台２の一面２ａａ側と弾接させる板ばね１ｅの分より若干短い長さの取付脚１ｂを備えている。接地用ランプソケット１Ｂは、たとえば、合成樹脂材料のカバー部１ａ２の一部を熱変形させることで、金属材料よりなる板ばね１ｅをカバー部１ａ２に固定することができる。本実施形態の照明器具１０では、接地用ランプソケット１Ｂは、ソケット支持台２のストッパ部２ａを構成する立設片２ａ１および突出部２ａ２により、取付脚１ｂの撓みを抑制させている。
【００４７】
以下、本実施形態の照明器具１０全体の構成について図５および図６を用いて簡単に説明する。
【００４８】
本実施形態の照明器具１０は、２本の直管形ランプ２０をそれぞれ装着させることが可能な直方体状の器具本体１１を備えている。器具本体１１は、直管形ランプ２０の一端側の第１口金部２２と当接し、一対の第１ランプピン２４，２４へ給電する図３で示した給電用ランプソケット１Ａを２個備えている。また、器具本体１１は、直管形ランプ２０の他端側の第２口金部２３と当接し、第２ランプピン２５を電気的に接地させる図４で示した接地用ランプソケット１Ｂを２個備えている。
【００４９】
照明器具１０は、２本の直管形ランプ２０を取り付ける場合、たとえば、一対の給電用ランプソケット１Ａと、一対の接地用ランプソケット１Ｂとの組を器具本体１１側のソケット支持台２にそれぞれ所定の間隔を隔てて設ければよい。なお、照明器具１０は、器具本体１１の内部に収納する点灯回路部１１ａや商用電源ＡＣからの電源線が接続される端子台１３を反射板１１ｂで覆って外部から内部が見えないようにしている。照明器具１０は、図示していない天井材側から延設された吊りボルトの先端部にワッシャ１１ｂを挿通して、吊りボルトとナット１１ｃとを螺子合いすることにより吊り下げ固定することができる。
【００５０】
照明器具１０は、図６に示すように、器具本体１１の内部に商用電源ＡＣからの電源線が接続される端子台１３が収納されている。また、照明器具１０は、器具本体１１の内部に端子台１３を介して入力される商用電源ＡＣからの交流電圧を直管形ランプ２０たる直管形ＬＥＤランプに適合した所定の直流電圧に変換し直管形ランプ２０に供給する点灯回路部１１ａが収納されている。照明器具１０は、配線１６を介して、点灯回路部１１ａのアース端子部と、器具本体１１の他端側（図６の右側）に設けたソケット支持台２に支持される接地用ランプソケット１Ｂとを電気的に接続している。また、照明器具１０は、電線１４を介して、点灯回路部１１ａの出力端子と、器具本体１１の一端側（図６の左側）に設けたソケット支持台２に支持された給電用ランプソケット１Ａとを電気的に接続している。照明器具１０は、給電用ランプソケット１Ａに装着された直管形ランプ２０の第１口金部２２側から給電する。照明器具１０は、器具本体１１の長手方向の両端部に直管形ランプ２０を保持できるように器具本体１１に給電用ランプソケット１Ａおよび接地用ランプソケット１Ｂを対向するように備えた一対のソケット保持台２をそれぞれ突出させて備えている。すなわち、照明器具１０は、直管形ランプ２０における管本体２１の両端に設けられた第１口金部２２および第２口金部２３を、それぞれ対応する給電用ランプソケット１Ａおよび接地用ランプソケット１Ｂに装着させることで直管形ランプ２０を保持する。照明器具１０は、給電用ランプソケット１Ａおよび接地用ランプソケット１Ｂを、直管形ランプ２０の第１口金部２２および第２口金部２３間の長さに応じた所定の間隔で配置している。なお、本実施形態の照明器具１０は、直管形ＬＥＤランプを装着するランプソケット１とソケット支持台２とを備えたものだけに限られるものではなく、直管形蛍光ランプを装着させるランプソケットとソケット支持台とに適用することもできる。本実施形態の照明器具１０は、直管形ランプ２０として直管形ＬＥＤランプを装着させる場合、第１ランプピン２４の折曲部２４ｂや第２ランプピン２５の径大部２５ｂがランプソケット１側と引っ掛かり易いので特に大きな効果を奏する。
【００５１】
次に、ソケット支持台２にランプソケット１を装着させる装着工程について図１を用いて説明する。
【００５２】
本実施形態の照明器具１０では、予め器具本体１１側に固定させたソケット支持台２の一面２ａａ側に、ランプソケット１の背面１ａｂ側を配置して、ランプソケット１の一方の取付脚１ｂをソケット支持台２の一方の挿通孔２ｈに挿通させる（図１（ａ）を参照）。
【００５３】
次に、本実施形態の照明器具１０では、ソケット支持台２の他面２ａｂ側において、ソケット支持台２の一方の挿通孔２ｈに挿通されたランプソケット１の取付脚１ｂの爪部１ｃを挿通孔２ｈの周縁部に引き掛けさせる（図１（ｂ）を参照）。
【００５４】
続いて、本実施形態の照明器具１０は、ソケット支持台２の他面２ａｂ側において挿通孔２ｈの周縁部に一方の取付脚１ｂの爪部１ｃを引き掛けさせた状態で、一対の取付脚１ｂ，１ｂを互いに近づく向きに撓ませる。
【００５５】
次に、照明器具１０では、ランプソケット１の一対の取付脚１ｂ，１ｂを互いに近づく向きに撓ませた状態で、他方の取付脚１ｂを他方の挿通孔２ｈに挿通させる（図１（ｃ）を参照）。
【００５６】
本実施形態の照明器具１０では、他方の取付脚１ｂを他方の挿通孔２ｈに押し込んで、ソケット支持台２の他面２ａｂ側において他方の挿通孔２ｈの周縁部に他方の取付脚１ｂの爪部１ｃを引き掛けさせる（図１（ｄ）を参照）。
【００５７】
本実施形態の照明器具１０では、ソケット支持台２の他面２ａｂ側において、各爪部１ｃを各挿通孔２ｈの周縁部に各々引掛させた状態で、一対の取付脚１ｂ，１ｂの弾性により撓みが元に戻ろうとする。また、本実施形態の照明器具１０では、ソケット支持台２にランプソケット１を装着した際、立設片２ａ１から突出する突出部２ａ２と、取付脚１ｂにおける爪部１ｃの突出方向の反対側とを隙間を空けて対向させている（図１（ｅ）を参照）。なお、本実施形態の照明器具１０は、ソケット支持台２にランプソケット１を装着した際、ランプソケット１の背面１ａｂとソケット支持台２の一面２ａａとを当接させている。
【００５８】
照明器具１０では、ランプソケット１が器具本体１１側のソケット支持台２から引っ張られる方向に大きな荷重が掛かった場合、力が一対の取付脚１ｂ，１ｂが互いに近づく向きに掛かる。本実施形態の照明器具１０では、一対の取付脚１ｂ，１ｂが互いに近づく向きに撓むことを抑制するストッパ部２ａとして、突出部２ａ２が取付脚１ｂにおける爪部１ｃの突出方向の反対側と当接することにより取付脚１ｂの撓みを抑制する。
【００５９】
これにより、本実施形態の照明器具１０では、器具本体１１側に装着されたランプソケット１の引張強度を、より高めることが可能になる。
【００６０】
（実施形態２）
図９に示す本実施形態の照明器具１０のストッパ部２ａは、図２の実施形態１におけるソケット支持台２の他面２ａｂ側に設けられた立設片２ａ１および突出部２ａ２を用いる代わりに、挿通孔２ｈの第２孔部２ｈ２における内側縁部２ａ３を用いた点が相違する。なお、実施形態１と同様の構成要素には同一の符号を付して説明を省略する。
【００６１】
本実施形態の照明器具１０では、図９に示すように、挿通孔２ｈは、爪部１ｃを有する取付脚１ｂが挿通可能な第１孔部２ｈ１を有している。挿通孔２ｈは、第１孔部２ｈ１と連通し第１孔部２ｈ１よりも開口面積が小さい第２孔部２ｈ２を有している。ストッパ部２ａは、第２孔部２ｈ２における周縁部側と対向する内側縁部２ａ３により構成されている。ストッパ部２ａは、取付脚１ｂが撓んでも内側縁部２ａ３が取付脚１ｂにおける爪部１ｃの突出方向の反対側と当接することにより取付脚１ｂの撓みを抑制する（図１０（ｅ）を参照）。
【００６２】
本実施形態の照明器具１０は、より簡単な構成で、器具本体１１側に装着されたランプソケット１の引張強度を、高めることが可能となる。
【００６３】
次に、ソケット支持台２にランプソケット１を装着させる装着工程について図１０および図１１を用いて説明する。
【００６４】
本実施形態の照明器具１０では、予め器具本体１１側に固定させたソケット支持部２の一面２ａａ側に、ランプソケット１の背面１ａｂ側を配置して、ランプソケット１の一方の取付脚１ｂをソケット支持台２の一方の挿通孔２ｈに挿通させる（図１０（ａ）を参照）。
【００６５】
照明器具１０では、ソケット支持台２の一方の挿通孔２ｈに挿通されたランプソケット１の一方の取付脚１ｂにおける爪部１ｃがソケット支持台２の他面２ａｂ側において一方の挿通孔２ｈにおける第１孔部２ｈ１（図９を参照）の周縁部に引き掛けさせる（図１０（ｂ）を参照）。
【００６６】
続いて、本実施形態の照明器具１０では、ソケット支持台２の他面２ａｂ側において挿通孔２ｈの周縁部に引き掛けさせた状態で、一方の取付脚１ｂ，１ｂを互いに近づく向きに撓ませる。次に、照明器具１０では、ランプソケット１の一対の取付脚１ｂ，１ｂを互いに近づく向きに撓ませた状態で、他方の取付脚１ｂを他方の挿通孔２ｈに挿通させる（図１０（ｃ）を参照）。
【００６７】
本実施形態の照明器具１０では、他方の取付脚１ｂを他方の挿通孔２ｈにおける第１孔部２ｈ１に押し込んで、ソケット支持台２の他面２ａｂ側において、他方の取付脚１ｂの爪部１ｃを他方の挿通孔２ｈの周縁部に引き掛けさせる（図１０（ｄ）を参照）。
【００６８】
すなわち、ランプソケット１は、一対の取付脚１ｂ，１ｂがそれぞれ挿入可能なソケット支持台２の挿通孔２ｈの第１孔部２ｈ１に挿通させるように、一対の取付脚１ｂ，１ｂを互いに近づくように撓ませる（図１１（ａ）の矢印の向きを参照）。照明器具１０では、ソケット支持台２の一対の挿通孔２ｈ，２ｈに挿通されたランプソケット１の一対の取付脚１ｂ，１ｂの各爪部１ｃを、ソケット支持台２の他面２ａｂ側において各挿通孔２ｈにおける第１孔部２ｈ１の周縁部それぞれに引き掛けさせる（図１０（ｅ）を参照）。
【００６９】
本実施形態の照明器具１０では、ソケット支持台２の他面２ａｂ側において、爪部１ｃを挿通孔２ｈの周縁部に引掛させた状態で一対の取付脚１ｂ，１ｂを撓ます力を緩めると取付脚１ｂの弾性により取付部１ｂの形状が元に戻ろうとする（図１１（ｂ）の矢印の向きを参照）。照明器具１０では、爪部１ｃを挿通孔２ｈの周縁部に各々引掛させた状態で、一対の取付脚１ｂ，１ｂの弾性により撓みが元に戻ろうとする力により、第１孔部２ｈ１に連通する第２孔部２ｈ２に各取付脚１ｂ，１ｂが自動的にスライドする（図１１（ｃ）を参照）。照明器具１０では、ランプソケット１が図１１（ｃ）に示す破線の位置から二点鎖線の位置まで矢印の向きに移動する。
【００７０】
本実施形態の照明器具１０では、ソケット支持台２にランプソケット１を装着した際、第２孔部２ｈ２の内側縁部２ａ３と、取付脚１ｂにおける爪部１ｃの突出方向の反対側とを隙間を空けて対向している（図１０（ｅ）を参照）。
【００７１】
照明器具１０では、ランプソケット１が器具本体１１側のソケット支持台２から引っ張れられる方向に大きな荷重が掛かった場合、力が一対の取付脚１ｂ，１ｂが互いに近づく向きに掛かる。本実施形態の照明器具１０では、一対の取付脚１ｂ，１ｂが互いに近づく向きに撓むことを抑制するストッパ部２ａとして、内側縁部２ａ３が取付脚１ｂにおける爪部１ｃの突出方向の反対側と当接することにより、取付脚１ｂの撓みを抑制する。
【００７２】
これにより、本実施形態の照明器具１０では、器具本体１１側に装着されたランプソケット１の引張強度を、より高めることが可能になる。
【００７３】
（実施形態３）
図１２に示す本実施形態の照明器具１０は、図９に示す実施形態２が一対の挿通孔２ｈ，２ｈを結ぶ線分の中央で線分と垂直な仮想の線に対して線対称に配置するのに対し、一対の挿通孔２ｈ，２ｈを結ぶ線分の中央の仮想の点に対して点対称に配置した点が相違する。なお、実施形態２と同様の構成要素には同一の符号を付して説明を省略する。
【００７４】
本実施形態の照明器具１０では、図１２に示すように、挿通孔２ｈは、爪部１ｃを有する取付脚１ｂが挿通可能な第１孔部２ｈ１を有している。挿通孔２ｈは、第１孔部２ｈ１と連通し第１孔部２ｈ１よりも開口面積が小さい第２孔部２ｈ２を有している。ストッパ部２ａは、第２孔部２ｈ２における周縁部側と対向する内側縁部２ａ３により構成されている。ストッパ部２ａは、取付脚１ｂが撓んでも内側縁部２ａ３が取付脚１ｂにおける爪部１ｃの突出方向の反対側と当接することにより取付脚１ｂの撓みを抑制する。
【００７５】
本実施形態の照明器具１０は、より簡単な構成で、器具本体１１側に装着されたランプソケット１の引張強度を、高めることが可能となる。
【００７６】
次に、ソケット支持台２にランプソケット１を装着させる装着工程について図１３および図１４を用いて説明する。
【００７７】
本実施形態の照明器具１０では、予め器具本体１１側に固定させたソケット支持部２の一面２ａａ側にランプソケット１の背面１ａｂ側を配置にして、ランプソケット１の一方の取付脚１ｂをソケット支持台２の一方の挿通孔２ｈに挿通させる（図１３（ａ）を参照）。
【００７８】
照明器具１０では、ソケット支持台２の一方の挿通孔２ｈに挿通されたランプソケット１の一方の取付脚１ｂにおける爪部１ｃがソケット支持台２の他面２ａｂ側において一方の挿通孔２ｈにおける第１孔部２ｈ１（図１２を参照）の周縁部に引き掛けさせる（図１３（ｂ）を参照）。
【００７９】
続いて、本実施形態の照明器具１０では、ソケット支持台２の他面２ａｂ側において挿通孔２ｈの周縁部に引き掛けさせた状態で、他方の取付脚１ｂを一方の取付脚１ｂの爪部１ｃと互いに近づく向きに撓ませる。照明器具１０では、ランプソケット１の一対の取付脚１ｂ，１ｂを互いに近づく向きに撓ませた状態で、他方の取付脚１ｂを他方の挿通孔２ｈに挿通させる（図１３（ｃ）を参照）。
【００８０】
本実施形態の照明器具１０では、他方の取付脚１ｂを他方の挿通孔２ｈにおける第１孔部２ｈ１に押し込んで、ソケット支持台２の他面２ａｂ側において他方の挿通孔２ｈの周縁部に他方の取付脚１ｂの爪部１ｃを引き掛けさせる（図１３（ｄ）を参照）。
【００８１】
ランプソケット１は、一対の取付脚１ｂ，１ｂがそれぞれ挿入可能なソケット支持台２の挿通孔２ｈの第１孔部２ｈ１に挿通させるように、一対の取付脚１ｂ，１ｂを互いに近づくように撓ませる（図１４（ａ）の矢印の向きを参照）。照明器具１０では、ソケット支持台２の一対の挿通孔２ｈ，２ｈに挿通されたランプソケット１の一対の取付脚１ｂ，１ｂの各爪部１ｃを、ソケット支持台２の他面２ａｂ側において各挿通孔２ｈにおける第１孔部２ｈ１の周縁部それぞれに引き掛けさせる（図１３（ｅ）を参照）。
【００８２】
本実施形態の照明器具１０では、ソケット支持台２の他面２ａｂ側において、爪部１ｃを挿通孔２ｈの周縁部に各々引掛させた状態で一対の取付脚１ｂ，１ｂの撓みを緩めると取付脚１ｂの弾性により撓みが元に戻る向きに力が掛かる（図１４（ｂ）の矢印の向きを参照）。照明器具１０では、爪部１ｃを挿通孔２ｈの周縁部に各々引掛させた状態で、ソケット支持台２に対してランプソケット１を回動（図１４（ｃ）の矢印の向きを参照）させることにより、第１孔部２ｈ１に連通する第２孔部２ｈ２に各取付脚１ｂ，１ｂがスライドする（図１４（ｃ）を参照）。照明器具１０では、ランプソケット１を図１４（ｃ）に示す破線の位置から二点鎖線の位置まで回動させる。
【００８３】
本実施形態の照明器具１０では、ソケット支持台２にランプソケット１を装着した際、第２孔部２ｈ２の内側縁部２ａ３と、取付脚１ｂにおける爪部１ｃの突出方向の反対側とを隙間を空けて対向している（図１３（ｅ）を参照）。
【００８４】
照明器具１０では、ランプソケット１が器具本体１１側のソケット支持部２から引っ張られる方向に大きな荷重が掛かった場合、力が一対の取付脚１ｂ，１ｂが互いに近づく向きに掛かる。本実施形態の照明器具１０では、一対の取付脚１ｂ，１ｂが互いに近づく向きに撓むことを抑制するストッパ部２ａとして、内側縁部２ａ３が取付脚１ｂにおける爪部１ｃの突出方向の反対側と当接することにより、取付脚１ｂの撓みを抑制する。
【００８５】
これにより、本実施形態の照明器具１０では、器具本体１１側に装着されたランプソケット１の引張強度を、より高めることが可能になる。
【００８６】
なお、本実施形態の照明器具１０は、給電用ランプソケット１Ａと接地用ランプソケット１Ｂとを同じ形状のソケット支持台２を用いて支持させているが、同じ形状のソケット支持台２を用いるものだけに限られない。したがって、照明器具１０は、実施形態１の接地用ランプソケット１Ｂを実施形態１のランプ支持台２に支持させるものに加え、たとえば、実施形態２や実施形態３の給電用ランプソケット１Ａを実施形態２や実施形体３のランプ支持台２に支持させるものでもよい。
【符号の説明】
【００８７】
１  ランプソケット
１ａ  ソケット本体
１ａａ  受口面
１ａｂ  背面
１ｂ  取付脚
１ｃ  爪部
２  ソケット支持台
２ａ  ストッパ部
２ａａ  一面
２ａｂ  他面
２ａ１  立設片
２ａ２  突出部
２ａ３  内側縁部
２ｈ  挿通孔
２ｈ１  第１孔部
２ｈ２  第２孔部
１０  照明器具
１１  器具本体
１１ａ  点灯回路部
２０  直管形ランプ
２１  管本体
２２，２３  口金部
２４，２５  ランプピン
【図１】
2014067673.tif 000003
【図２】
2014067673.tif 000004
【図３】
2014067673.tif 000005
【図４】
2014067673.tif 000006
【図５】
2014067673.tif 000007
【図６】
2014067673.tif 000008
【図７】
2014067673.tif 000009
【図８】
2014067673.tif 000010
【図９】
2014067673.tif 000011
【図１０】
2014067673.tif 000012
【図１１】
2014067673.tif 000013
【図１２】
2014067673.tif 000014
【図１３】
2014067673.tif 000015
【図１４】
2014067673.tif 000016
【図１５】
2014067673.tif 000017